Podtech/llm-jp-corpus-v4-ja_patent huggingface dataset:
【手続補正書】
【提出日】平成29年9月14日(2017.9.14)
【手続補正１】
【補正対象書類名】特許請求の範囲
【補正対象項目名】全文
【補正方法】変更
【補正の内容】
【特許請求の範囲】
【請求項１】
荷物を積載するボディと、前記ボディを昇降するホイストシリンダと、前記ホイストシリンダを操作するホイストレバーと、前記ホイストシリンダに圧油を供給する油圧ポンプと、前記油圧ポンプを駆動するエンジンと、ロードダンプブレーキと、アクセルペダルと、前記アクセルペダルの操作量に応じて前記エンジンの回転を制御するコントローラを備え、
前記コントローラは、
車両が停止しているという条件１と、
前記ロードダンプブレーキが作動しているという条件２と、
前記ホイストレバーが操作されているという条件３と、
をそれぞれ満たしているか否かを判断する車両状態判断部と、
前記条件１〜３を満たしている場合、第１モードのエンジン回転出力となるように前記エンジンを制御するエンジン回転制御部を有する
ことを特徴とするダンプトラックのボディ昇降アシスト制御システム。
【請求項２】
請求項１に記載のダンプトラックのボディ昇降アシスト制御システムであって、
前記第１モード、第２モード又は第３モードのいずれかに切替える制御モード切替スイッチをさらに備え、
前記エンジン回転制御部は、
前記第１モードが選択され、前記条件１〜３を満たしている場合に、前記第１モードのエンジン回転出力となるように前記エンジンを制御し、
前記第２モードが選択され、前記条件１〜３を満たしている場合に、前記第２モードのエンジン回転出力となるように前記エンジンを制御し、
それ以外の場合に、前記第３モードのエンジン回転出力となるように前記エンジンを制御する
ことを特徴とするダンプトラックのボディ昇降アシスト制御システム。
【請求項３】
請求項２に記載のダンプトラックのボディ昇降アシスト制御システムであって、
前記エンジン回転制御部は、
前記第１モードが選択され、前記条件１〜３を満たしている場合に、前記エンジンのエンジン回転数が最大回転数となるように前記エンジンを制御する
ことを特徴とするダンプトラックのボディ昇降アシスト制御システム。
【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
複数の図柄が付された回転可能な複数のリールと、
当選役の抽選を行う抽選手段と、
所定の始動操作を契機として前記複数のリールを回転させたあとに、所定の停止操作を契機として回転中の前記複数のリールの夫々を前記抽選手段による抽選結果に基づいて停止位置で停止させる停止制御手段と、
を備え、
前記複数のリールの夫々の一部を視認可能な所定表示領域が設けられ、
前記複数の図柄には、異なる図柄態様ではあるものの図柄態様の一部が同一である類似図柄が含まれ、
前記所定表示領域には、前記停止制御手段によって前記リールが停止したときに、該リールに付された図柄が完全に視認可能とされる第１表示領域および該リールに付された図柄の一部が視認困難とされる第２表示領域とがあり、
前記第２表示領域で視認困難とされた図柄の一部を徐々に視認できるように制御する視認拡張手段と、
前記第２表示領域に前記類似図柄が表示された場合であっても前記視認拡張手段による制御を行うことによって当該類似図柄を一の図柄に特定させる完全露出手段と、
をさらに備え、
前記完全露出手段によって前記類似図柄を一の図柄に特定させたときに、前記複数のリールの全てに跨って前記類似図柄が現れ得るようになされており、
前記完全露出手段によって前記類似図柄を一の図柄に特定させたあとも前記視認拡張手段による制御を継続して実行することを可能としており、
前記類似図柄を一の図柄に特定させる制御が行われると遊技媒体を付与する特典とは異なる特典が付与されるようになされており、
前記第１表示領域の大きさそれ自体が不変とされる特定領域内に前記一の図柄に特定させる図柄が入り込むようになされている
ことを特徴とする遊技機。
【手続補正２】
【補正対象書類名】明細書
【補正対象項目名】０００６
【補正方法】変更
【補正の内容】
【０００６】
しかし、上述した従来の遊技機は、遊技回数が増えていくと、表示窓内に同じ図柄組合せが現出されることが多く、興趣が向上しないおそれが少なからずあった。
【手続補正３】
【補正対象書類名】明細書
【補正対象項目名】０００７
【補正方法】変更
【補正の内容】
【０００７】
そこで、本発明は、上述した課題に鑑み、遊技回数が増えたとしても表示窓内をより楽しませることができる遊技機の提供を目的とする。
【手続補正４】
【補正対象書類名】明細書
【補正対象項目名】０００８
【補正方法】変更
【補正の内容】
【０００８】
前記目的を達成するため、本発明は、複数の図柄が付された回転可能な複数のリールと、当選役の抽選を行う抽選手段と、所定の始動操作を契機として前記複数のリールを回転させたあとに、所定の停止操作を契機として回転中の前記複数のリールの夫々を前記抽選手段による抽選結果に基づいて停止位置で停止させる停止制御手段と、を備え、前記複数のリールの夫々の一部を視認可能な所定表示領域が設けられ、前記複数の図柄には、異なる図柄態様ではあるものの図柄態様の一部が同一である類似図柄が含まれ、前記所定表示領域には、前記停止制御手段によって前記リールが停止したときに、該リールに付された図柄が完全に視認可能とされる第１表示領域および該リールに付された図柄の一部が視認困難とされる第２表示領域とがあり、前記第２表示領域で視認困難とされた図柄の一部を徐々に視認できるように制御する視認拡張手段と、前記第２表示領域に前記類似図柄が表示された場合であっても前記視認拡張手段による制御を行うことによって当該類似図柄を一の図柄に特定させる完全露出手段と、をさらに備え、前記完全露出手段によって前記類似図柄を一の図柄に特定させたときに、前記複数のリールの全てに跨って前記類似図柄が現れ得るようになされており、前記完全露出手段によって前記類似図柄を一の図柄に特定させたあとも前記視認拡張手段による制御を継続して実行することを可能としており、前記類似図柄を一の図柄に特定させる制御が行われると遊技媒体を付与する特典とは異なる特典が付与されるようになされており、前記第１表示領域の大きさそれ自体が不変とされる特定領域内に前記一の図柄に特定させる図柄が入り込むようになされていることを特徴とする遊技機である。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
本発明によれば、遊技回数が増えたとしても表示窓内をより楽しませることができる遊技機を提供することができる。
【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
複数の図柄が付された回転可能な複数のリールと、
当選役の抽選を行う抽選手段と、
所定の始動操作を契機として前記複数のリールを回転させたあとに、所定の停止操作を契機として回転中の前記複数のリールの夫々を前記抽選手段による抽選結果に基づいて停止位置で停止させる停止制御手段と、
を備え、
前記複数のリールの夫々の一部を視認可能な所定表示領域が設けられ、
前記複数の図柄には、異なる図柄態様ではあるものの図柄態様の一部が同一である類似図柄が含まれ、
前記所定表示領域には、前記停止制御手段によって前記リールが停止したときに、該リールに付された図柄が完全に視認可能とされる第１表示領域および該リールに付された図柄の一部が視認困難とされる第２表示領域とがあり、
前記第２表示領域で視認困難とされた図柄の一部を徐々に視認できるように制御する視認拡張手段と、
前記第２表示領域に前記類似図柄が表示された場合であっても前記視認拡張手段による制御を行うことによって当該類似図柄を一の図柄に特定させる完全露出手段と、
をさらに備え、
前記完全露出手段によって前記類似図柄を一の図柄に特定させたときに、前記複数のリールの全てに跨って前記類似図柄が現れ得るようになされており、
前記複数のリールに跨って同じ図柄で構成される図柄組合せが前記第１表示領域に表示された場合であっても前記視認拡張手段による制御を実行可能とした
ことを特徴とする遊技機。
【手続補正２】
【補正対象書類名】明細書
【補正対象項目名】０００５
【補正方法】変更
【補正の内容】
【０００５】
しかしながら、このような従来の遊技機では、遊技回数が増えていくと、表示窓内に同じ図柄組合せが現出されることが多く、遊技者が飽きてしまう傾向が少なからずあった。
【手続補正３】
【補正対象書類名】明細書
【補正対象項目名】０００６
【補正方法】変更
【補正の内容】
【０００６】
そこで、本発明は、上述した課題に鑑み、遊技回数が増えたとしても表示窓内をより楽しませることができる遊技機を提供することを目的とする。
【手続補正４】
【補正対象書類名】明細書
【補正対象項目名】０００７
【補正方法】変更
【補正の内容】
【０００７】
前記目的を達成するため、本発明は、複数の図柄が付された回転可能な複数のリールと、当選役の抽選を行う抽選手段と、所定の始動操作を契機として前記複数のリールを回転させたあとに、所定の停止操作を契機として回転中の前記複数のリールの夫々を前記抽選手段による抽選結果に基づいて停止位置で停止させる停止制御手段と、を備え、前記複数のリールの夫々の一部を視認可能な所定表示領域が設けられ、前記複数の図柄には、異なる図柄態様ではあるものの図柄態様の一部が同一である類似図柄が含まれ、前記所定表示領域には、前記停止制御手段によって前記リールが停止したときに、該リールに付された図柄が完全に視認可能とされる第１表示領域および該リールに付された図柄の一部が視認困難とされる第２表示領域とがあり、前記第２表示領域で視認困難とされた図柄の一部を徐々に視認できるように制御する視認拡張手段と、前記第２表示領域に前記類似図柄が表示された場合であっても前記視認拡張手段による制御を行うことによって当該類似図柄を一の図柄に特定させる完全露出手段と、をさらに備え、前記完全露出手段によって前記類似図柄を一の図柄に特定させたときに、前記複数のリールの全てに跨って前記類似図柄が現れ得るようになされており、前記複数のリールに跨って同じ図柄で構成される図柄組合せが前記第１表示領域に表示された場合であっても前記視認拡張手段による制御を実行可能としたことを特徴とする遊技機である。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
本発明によれば、遊技回数が増えたとしても表示窓内をより楽しませることができる遊技機を提供することができる。
【手続補正書】
【提出日】平成29年10月30日(2017.10.30)
【手続補正１】
【補正対象書類名】特許請求の範囲
【補正対象項目名】全文
【補正方法】変更
【補正の内容】
【特許請求の範囲】
【請求項１】
基板ケースに収納されるとともに、記載された基板管理番号が基板ケース外から視認可能とされた基板管理番号付きの電子回路基板が、複数、取り付けられており、
基板管理番号付きの電子回路基板を収納した複数の基板ケースのそれぞれに対して、少なくとも基板ケースを構成する面の一部が重なるように取り付けられる、いずれの基板ケースとも別体で透明又は半透明とされたカバー体を備え、
基板ケース外から視認可能な基板管理番号が、さらに前記カバー体を介して視認可能とされた基板管理番号付きの電子回路基板を有する
遊技機。
【手続補正２】
【補正対象書類名】明細書
【補正対象項目名】０００６
【補正方法】変更
【補正の内容】
【０００６】
本発明に係る遊技機は、基板ケースに収納されるとともに、記載された基板管理番号が基板ケース外から視認可能とされた基板管理番号付きの電子回路基板が、複数、取り付けられており、基板管理番号付きの電子回路基板を収納した複数の基板ケースのそれぞれに対して、少なくとも基板ケースを構成する面の一部が重なるように取り付けられる、いずれの基板ケースとも別体で透明又は半透明とされたカバー体を備え、基板ケース外から視認可能な基板管理番号が、さらに前記カバー体を介して視認可能とされた基板管理番号付きの電子回路基板を有する。
【手続補正書】
【提出日】平成29年11月17日(2017.11.17)
【手続補正１】
【補正対象書類名】特許請求の範囲
【補正対象項目名】全文
【補正方法】変更
【補正の内容】
【特許請求の範囲】
【請求項１】
駆動波形を出力する駆動制御手段と、
出力された駆動波形が印加される圧電素子と、
前記圧電素子の駆動により振動する振動板と、
前記振動板の振動に応じて液体を吐出するノズルと、を備え、
前記駆動制御手段は、前記ノズルから液体を吐出させる第１の駆動波形の前に液体を吐出しない第２の駆動波形を出力し、
前記第２の駆動波形の中間電位は、前記第１の駆動波形の中間電位よりも高いことを特徴とする液体吐出装置。
【請求項２】
前記中間電位は、所定時間保持した後に電圧を下げる際の始点の電位であることを特徴とする請求項１に記載の液体吐出装置。
【請求項３】
前記中間電位は、電圧を下げた後に所定時間電圧保持し保持した後に電圧を上げるパルスの、電圧を下げる際の始点の電位であることを特徴とする請求項１または２に記載の液体吐出装置。
【請求項４】
液体を吐出した後に所定時間吐出を中断し、吐出を再開する前に前記第２の駆動波形を印加することを特徴とする請求項１乃至３のいずれか一項に記載の液体吐出装置。
【請求項５】
前記中間電位から最低電圧までの電圧幅は、前記第１の駆動波形よりも前記第２の駆動波形が大きいことを特徴とする請求項１乃至４のいずれか一項に記載の液体吐出装置。
【請求項６】
前記第２の駆動波形において、前記中間電位の保持時間は前記中間電位から電圧を下げた後の電圧の保持時間よりも長いことを特徴とする請求項２乃至５のいずれか一項に記載の液体吐出装置。
【請求項７】
駆動波形を出力する駆動制御手段と、
出力された駆動波形が印加される圧電素子と、
前記圧電素子の駆動により振動する振動板と、
前記振動板の振動に応じて液体を吐出するノズルと、を備え、
前記駆動制御手段は、前記ノズルから液体を吐出させる第１の駆動波形の前に液体を吐出しない第２の駆動波形を出力し、
前記第２の駆動波形の中間電位は、前記第１の駆動波形の中間電位よりも高いことを特徴とする液体吐出ヘッド。
【請求項８】
前記中間電位は、所定時間保持した後に電圧を下げる際の始点の電位であることを特徴とする請求項７に記載の液体吐出ヘッド。
【請求項９】
前記中間電位は、電圧を下げた後に所定時間電圧保持し保持した後に電圧を上げるパルスの、電圧を下げる際の始点の電位であることを特徴とする請求項７または８に記載の液体吐出ヘッド。
【請求項１０】
前記第２の駆動波形において、前記中間電位の保持時間は前記中間電位から電圧を下げた後の電圧の保持時間よりも長いことを特徴とする請求項８または９に記載の液体吐出ヘッド。
【請求項１１】
駆動波形を出力する駆動制御手段と、出力された駆動波形が印加される圧電素子と、前記圧電素子の駆動により振動する振動板と、前記振動板の振動に応じて液体を吐出するノズルと、を備える液体吐出ヘッドの駆動方法であり、
液体を吐出しない第２の駆動波形を出力する工程と、
前記第２の駆動波形を出力した後に液体を吐出する第１の駆動波形を出力する工程と、を有し、
前記第２の駆動波形の中間電位が前記第１の駆動波形の中間電位よりも高いことを特徴とする駆動方法。
【請求項１２】
前記中間電位は、所定時間保持した後に電圧を下げる際の始点の電位であることを特徴とする請求項１１に記載の駆動方法。
【請求項１３】
前記中間電位は、電圧を下げた後に所定時間電圧保持し保持した後に電圧を上げるパルスの、電圧を下げる際の始点の電位であることを特徴とする請求項１１に記載の駆動方法。
【請求項１４】
前記第２の駆動波形において、前記中間電位の保持時間は前記中間電位から電圧を下げた後の電圧の保持時間よりも長いことを特徴とする請求項１２または１３に記載の駆動方法。
【手続補正２】
【補正対象書類名】明細書
【補正対象項目名】発明の名称
【補正方法】変更
【補正の内容】
【発明の名称】液体吐出装置、液体吐出ヘッド及び駆動方法
【手続補正３】
【補正対象書類名】明細書
【補正対象項目名】０００４
【補正方法】変更
【補正の内容】
【０００４】
このようなインクの増粘による影響を防止するため、圧電体の微駆動によって圧力室内でのインクの攪拌を行う方式や、増粘したインクを強制的に外部に排出する方式等が既に知られている（例えば、特許文献１参照）。特許文献１では、圧電体の微駆動によって圧力室内を攪拌し、ノズル孔のメニスカス面近傍の増粘したインクを圧力室内へ引き込み、圧力室内のインクをノズル孔側へ押し出す動作を繰り返している。これにより、ノズル近傍と圧力室内とのインク粘度を平均化し、メニスカス面の低粘度化を行っている。さらに、所定期間ごとに、ノズル孔近傍の増粘したインクを外部に排出さて、圧力室内のインクをノズル側に移動させることで、メニスカス面のリフレッシュを行っている。
【手続補正４】
【補正対象書類名】明細書
【補正対象項目名】０００５
【補正方法】変更
【補正の内容】
【０００５】
しかしながら、このような従来の攪拌によるメニスカス表面の低粘度化のみでは、圧力室全体の粘度が次第に増粘してしまい、吐出再開のため圧電体を駆動しても、吐出力が不足し、十分な吐出が行えなくなる。そのため、吸引によるメンテナンスでのメニスカス面のリフレッシュや空吐出が頻繁に必要となったり、ノズル近傍だけでなく圧力室全体のインクを排出する必要も生じたりして、インクを無駄に消耗してしまう。
【手続補正５】
【補正対象書類名】明細書
【補正対象項目名】０００６
【補正方法】削除
【補正の内容】
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】変更
【補正の内容】
【０００８】
本発明は、上記の事情に鑑みて為されたもので、印字を円滑に再開することが可能な液体吐出装置を提供することを目的とする。
【手続補正８】
【補正対象書類名】明細書
【補正対象項目名】０００９
【補正方法】変更
【補正の内容】
【０００９】
上記の目的を達成するため、本願に係る液体吐出装置は、駆動波形を出力する駆動制御手段と、出力された駆動波形が印加される圧電素子と、圧電素子の駆動により振動する振動板と、振動板の振動に応じて液体を吐出するノズルと、を備え、駆動制御手段は、ノズルから液体を吐出させる第１の駆動波形の前に液体を吐出しない第２の駆動波形を出力し、第２の駆動波形の中間電位は、第１の駆動波形の中間電位よりも高いことを特徴とする。
【手続補正９】
【補正対象書類名】明細書
【補正対象項目名】００１０
【補正方法】変更
【補正の内容】
【００１０】
本発明によれば、印字を円滑に再開することが可能な液体吐出装置を提供することができる。
【手続補正書】
【提出日】平成29年9月20日(2017.9.20)
【手続補正１】
【補正対象書類名】特許請求の範囲
【補正対象項目名】全文
【補正方法】変更
【補正の内容】
【特許請求の範囲】
【請求項１】
バスバ本体と、前記バスバ本体に対して厚さ方向の一方側に向けて折り曲げられて各電池セルにそれぞれ接続される複数の接続部と、を有し、かつ前記接続部における前記バスバ本体と前記電池セルとの間に溶断部が設けられており、複数の前記電池セルを電気的に接続するバスバと、
前記バスバ本体と前記電池セルとの間に配置され、複数の前記接続部を個々に囲む複数の筒状部を有する絶縁性の保護部材と、
を備え、
前記保護部材は、前記電池セルと対向する板状の第一カバー部と、前記第一カバー部よりも前記電池セル側に配置され、複数の貫通孔を有する板状の第二カバー部と、を有し、
複数の前記筒状部は、前記第一カバー部と一体に形成されており、複数の前記貫通孔から前記電池セルに向けて突出していることを特徴とする電池接続モジュール。
【請求項２】
前記電池セルに組み付けられた状態において、前記筒状部の先端が、前記電池セルの端面によって閉塞される
請求項１に記載の電池接続モジュール。
【請求項３】
前記第一カバー部は、複数の前記筒状部を互いに連結し、かつ前記バスバ本体における前記電池セル側の面を覆う
請求項１または２に記載の電池接続モジュール。
【請求項４】
抜き加工によって、バスバ本体と、各電池セルにそれぞれ接続される複数の接続部と、を有し、かつ前記接続部における前記バスバ本体と前記電池セルとの間に溶断部を有するバスバを形成し、かつ前記抜き加工において前記接続部における基端と先端との間の一部と前記バスバ本体とをつなぐつなぎ部を残して前記接続部を形成する抜き工程と、
前記抜き工程よりも後に実行され、前記バスバ本体と前記電池セルとの間に配置され、複数の前記接続部を個々に囲む複数の筒状部を有する絶縁性の保護部材を前記バスバに組み付ける保護部材組み付け工程と、
前記保護部材組み付け工程よりも後に実行され、前記つなぎ部を切断する切断工程と、
前記切断工程よりも後に実行され、前記接続部を前記バスバ本体の厚さ方向の一方側に向けて折り曲げる折り曲げ工程と、
を含むことを特徴とする電池接続モジュールの製造方法。
【請求項５】
複数の電池セルと、
バスバ本体と、前記バスバ本体から厚さ方向の一方側に向けて折り曲げられて各前記電池セルにそれぞれ接続される複数の接続部と、を有し、かつ前記接続部における前記バスバ本体と前記電池セルとの間に溶断部が設けられており、複数の前記電池セルを電気的に接続するバスバと、
前記バスバ本体と前記電池セルとの間に配置され、複数の前記接続部を個々に囲む複数の筒状部を有する絶縁性の保護部材と、
を備え、
前記保護部材は、前記電池セルと対向する板状の第一カバー部と、前記第一カバー部よりも前記電池セル側に配置され、複数の貫通孔を有する板状の第二カバー部と、を有し、
複数の前記筒状部は、前記第一カバー部と一体に形成されており、複数の前記貫通孔から前記電池セルに向けて突出していることを特徴とする電池パック。
【請求項６】
複数の電池セルと対向する絶縁性の板状の第一カバー部と、
前記第一カバー部よりも前記電池セル側に配置され、複数の貫通孔を有する絶縁性の板状の第二カバー部と、
前記第一カバー部と一体に形成され、かつ前記第一カバー部から突出する絶縁性の複数の筒状部と、
を備え、
複数の前記筒状部は、複数の前記貫通孔から電池セルに向けて突出しており、バスバ本体から厚さ方向の一方側に向けて折り曲げられて複数の前記電池セルにそれぞれ接続される複数の接続部を個々に囲む
ことを特徴とする保護部材。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
天面部と該天面部の周縁から略垂下されてなる円筒部とを備えるキャップ本体と、前記天面部の内面に非接着状態に設けられたライナとを有し、容器の口部を密封可能なライナ付キャップを製造する方法であって、アルミニウム又はアルミニウム合金の板材をカップ状に打抜いてキャップ本体を成形するキャップ本体成形工程と、前記キャップ本体の天面部と摺動する摺動層を該天面部内面に樹脂のモールド成形により形成する摺動層成形工程と、前記摺動層に積層され該摺動層よりも軟質で外径が小さく前記容器の口部と接触する密封層を樹脂のモールド成形により形成して、前記摺動層と前記密封層とからなる前記ライナを形成する密封層成形工程と、前記摺動層成形工程よりも前に前記天面部の内面に前記摺動層の接着防止措置を施す接着防止措置工程とを備え、前記キャップ本体成形工程において前記円筒部の前記天面部近傍に半径方向内方に向かって突出して前記摺動層を係止するフック部が形成され、前記摺動層成形工程において前記天面部内面に配置した溶融樹脂を前記円筒部の前記フック部先端により構成される内接円よりも外径が小さいパンチで押圧することにより前記摺動層が該内接円よりも拡径して成形されることを特徴とするライナ付キャップの製造方法。
【請求項２】
前記密封層成形工程において、前記密封層の前記容器の口部に接する部分の厚みを、他の部分よりも厚く設けることを特徴とする請求項１記載のライナ付キャップの製造方法。
【請求項３】
前記摺動層成形工程において、前記摺動層の表面に、中心部から周縁部に向けて下り勾配となる放射状の勾配を設けることを特徴とする請求項１又は２に記載のライナ付キャップの製造方法。
【請求項４】
前記摺動層成形工程において、前記摺動層の表面中央に、窪みを設けることを特徴とする請求項１から３のいずれか一項に記載のライナ付キャップの製造方法。
【手続補正２】
【補正対象書類名】明細書
【補正対象項目名】発明の名称
【補正方法】変更
【補正の内容】
【発明の名称】ライナ付キャップの製造方法
【手続補正３】
【補正対象書類名】明細書
【補正対象項目名】０００１
【補正方法】変更
【補正の内容】
【０００１】
本発明は、飲料用等のキャップが螺着されるねじを有する容器を密封するライナ付キャップの製造方法に関する。
【手続補正４】
【補正対象書類名】明細書
【補正対象項目名】０００７
【補正方法】変更
【補正の内容】
【０００７】
本発明は、このような事情に鑑みてなされたものであって、ライナの材料使用率を高めることができ、容器開栓時のトルクを比較的低い状態で維持できるとともに、開栓前は良好に密封状態を維持することができるライナ付キャップの製造方法を提供することを目的とする。
【手続補正５】
【補正対象書類名】明細書
【補正対象項目名】０００９
【補正方法】変更
【補正の内容】
【０００９】
本発明のライナ付キャップの製造方法は、天面部と該天面部の周縁から略垂下されてなる円筒部とを備えるキャップ本体と、前記天面部の内面に非接着状態に設けられたライナとを有し、容器の口部を密封可能なライナ付キャップを製造する方法であって、アルミニウム又はアルミニウム合金の板材をカップ状に打抜いてキャップ本体を成形するキャップ本体成形工程と、前記キャップ本体の天面部と摺動する摺動層を該天面部内面に樹脂のモールド成形により形成する摺動層成形工程と、前記摺動層に積層され該摺動層よりも軟質で外径が小さく前記容器の口部と接触する密封層を樹脂のモールド成形により形成して、前記摺動層と前記密封層とからなる前記ライナを形成する密封層成形工程と、前記摺動層成形工程よりも前に前記天面部の内面に前記摺動層の接着防止措置を施す接着防止措置工程とを備え、前記キャップ本体成形工程において前記円筒部の前記天面部近傍に半径方向内方に向かって突出して前記摺動層を係止するフック部が形成され、前記摺動層成形工程において前記天面部内面に配置した溶融樹脂を前記円筒部の前記フック部先端により構成される内接円よりも外径が小さいパンチで押圧することにより前記摺動層が該内接円よりも拡径して成形されることを特徴とする。
【手続補正６】
【補正対象書類名】明細書
【補正対象項目名】００１０
【補正方法】変更
【補正の内容】
【００１０】
フック部が形成された状態のキャップ本体の天面部内面に、フック部により構成される内接円よりも小径に形成されたパンチによって溶融樹脂を押し付けることにより、樹脂をパンチの押付面よりも拡径して流動させることとしており、摺動層の外径を金型により規制することなくフック部の内接円よりも大きく成形することができる。これにより、キャップ本体内部においてモールド成形により摺動層を形成する場合でも、天面部の内面に非接着状態の摺動層をフック部により支持した状態に設けることができる。したがって、開栓時のトルクを比較的低い状態で維持することができる。
また、キャップ本体内部で摺動層及び密封層の両方を成形することによりライナを形成することができ、硬質シートを打抜いて成形する場合のように打抜き屑が発生しないので、材料使用率を高めることができる。そして、摺動層及び密封層を有するライナを、インシェルモールドのみで形成可能なので、ライナ打抜き工程及びライナ嵌め込み工程を無くすことができ、飛躍的に生産性を向上させることができる。
【手続補正書】
【提出日】平成29年3月17日(2017.3.17)
【手続補正１】
【補正対象書類名】明細書
【補正対象項目名】００２９
【補正方法】変更
【補正の内容】
【００２９】
次に、各サンプルに、厚み１２５μｍのフィルムを４ｋｇｆのテンションで５周巻き付けて、５０℃で４時間エージングし、常温に戻った状態でフィルムを解舒した。
フィルム解舒直後に、各サンプルの弾性体層の表面部分に形成されている段差（凹部）を測定した。
引き続いて、各サンプルにおける段差が形成されている付近の弾性体層表面部分を、加熱温度１２０℃に設定したホットプレートに、自重（約１５０ｇ）で押し付けて、加熱した。加熱は、１０秒単位で行い、その都度、加熱後の段差を測定し、段差の復元が見られなくなるまで加熱を繰り返した。
また、フィルム解舒後２０時間以上経過した各サンプルについて、上記と同様の段差復元確認テストを行った。
【手続補正２】
【補正対象書類名】明細書
【補正対象項目名】００３０
【補正方法】変更
【補正の内容】
【００３０】
テストの結果を、以下の表３にまとめて示す。 
【表３】
2015003828.tif 000001
【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
タービンエンジン及び／又は圧縮すされた空気を前記タービンエンジンに供給する空気圧縮機への燃料及び空気の供給を制御するタービン制御システムであって、
前記タービンエンジンは電力送電網に接続されて発電電力を供給し、前記システムは、
前記電力送電網の標準化された送電網周波数値からの周波数変動をモニターする少なくとも１つのセンサー、
水及び駆動燃料の混合物を加圧下に貯蔵するアキュムレーター、及び
検出された送電網周波数の変動に応答してタービンエンジンへの燃料及び空気流を調節する制御装置
を含み、前記制御装置は、前記少なくとも１つのセンサーが前記電力送電網の不足周波数状態を検出したとき、水及び駆動燃料の加圧された混合物を少なくとも前記圧縮機に供給して前記タービンエンジンへの質量流量を増大する、前記タービン制御システム。
【請求項２】
駆動燃料がエタノール、メタノール、又はこれらの任意の組合せの少なくとも１つを含む、請求項１記載のタービン制御システム。
【請求項３】
前記アキュムレーターの出力が、水及び駆動燃料の前記混合物を、第１の流路を介して前記圧縮機のベルマウスに、第２の流路を介して前記圧縮機の出力で圧縮機排出チャンバーに、前記制御装置の制御下で第３の流路を介して前記タービンエンジンの燃焼系に、又はこれらの任意の組合せで選択的に供給するようにされおり、
前記制御装置が、検出された不足周波数状態を修正するために検出された不足周波数状態応答時間条件の程度に基づいて水及び駆動燃料の前記混合物を前記第１、第２及び／又は第３の流路に選択的に供給するように前記電力送電網の検出された不足周波数状態に応答してタービンエンジンの電力出力を増大するのに使用される前記混合物の質量流量の送出を制御するための一組の規則でプログラムされており、
前記制御装置が、タービン作動パラメーター、排出圧力を決定するための送電網変動、及び検出された不足周波数状態に応答して水及び駆動燃料の混合物を第１、第２及び／又は第３の流路に割り当てるための圧力低下率に基づくアルゴリズムを実行するためにソフトウェアを処理するプロセッサーを含む、請求項１または２に記載のタービン制御システム。
【請求項４】
さらに、前記電力送電網の不足周波数状態の検出に応答して遅れのない応答性を有効に送り出す圧力に前記アキュムレーターを連続的に充填する空気加圧系を含む、請求項１乃至３のいずれかに記載のタービン制御システム。
【請求項５】
前記空気加圧系が前記制御装置の制御下で前記アキュムレーターに圧縮機の抽気を供給するフローチャンネルを含む、請求項４記載のタービン制御システム。
【請求項６】
前記空気加圧系が可変周波数排出空気ポンプを含む、請求項４記載のタービン制御システム。
【請求項７】
タービンエンジン及び／又は前記タービンエンジンに圧縮された空気を供給する空気圧縮機への燃料及び空気の供給を制御するための方法であって、前記タービンエンジンが電力送電網に接続されて発電電力を供給し、前記方法は、
前記電力送電網の標準化された送電網周波数値からの不足周波数のずれを検出し、
前記電力送電網の前記不足周波数のずれが検出されたとき水及び駆動燃料の加圧された混合物を少なくとも前記圧縮機に供給して前記タービンエンジンへの質量流量を増大することにより少なくとも前記圧縮機への質量増強流を調節する
ことを含む、前記方法。
【請求項８】
さらに、タービンエンジンの燃焼器が前記電力送電網の周波数のずれに応答するとき、タービンエンジンの燃焼器の状態が空気流において遅れて変化しないように、入口案内翼及び圧縮機及びタービンエンジンへの燃料流を調整して燃料と圧縮機排出圧力の比の制御を容易にすることによって、圧縮機からの一定の空気流を維持することを含む、請求項７記載の方法。
【請求項９】
さらに、前記制御装置の制御下で、水及び駆動燃料の前記混合物を、第１の流路を介して前記圧縮機のベルマウスへ、第２の流路を介して前記圧縮機の出力で圧縮機排出チャンバーへ、第３の流路を介して前記タービンエンジンの燃焼系へ、又はこれらの任意の組合せで選択的に供給し、
水及び駆動燃料の前記混合物の前記供給が、検出された不足周波数状態に応答して、タービン作動パラメーター、排出圧力を決定するための送電網変動、並びに水及び駆動燃料の混合物を第１、第２及び／又は第３の流路に割り当てるための圧力低下率に基づいてアルゴリズムを処理し、水及び駆動燃料の混合物を前記第１、第２及び／又は第３の流路に選択的に供給して前記不足周波数状態を修正することを含む、請求項７または８に記載の方法。
【請求項１０】
さらに、前記電力送電網の不足周波数のずれの決定に応答して遅れのない応答性を有効に送り出す圧力まで前記水及び駆動燃料の混合物を加圧することを含む、請求項７乃至９のいずれかに記載の方法。
【手続補正書】
【提出日】平成29年2月2日(2017.2.2)
【手続補正１】
【補正対象書類名】明細書
【補正対象項目名】００８２
【補正方法】変更
【補正の内容】
【００８２】
当然ながら、当業者であれば、特定の要件及びその時々の要件に応えるために、既述した自転車用のリム１０および該リム１０を備える自転車用の車輪１１に対して様々な変更や変形を施されうるが、このような変更及び変形の全ては、添付の特許請求の範囲に規定された本発明の保護範囲内に包含されることに留意されたい。
なお、本発明は、実施の態様として以下の内容を含む。
［態様１］
自転車用のタイヤ（１００）と接続するように構成された径方向外側部分（１２）と、
各スポーク（１７）用の複数の取付孔（１６）を有する径方向内側部分（１４）と、
を備え、
前記径方向内側部分（１４）が、両側の側壁（１４ａ，１４ｂ）、および前記複数の孔（１６）が形成された底壁（１４ｃ）を含む、自転車用のリム（１０）であって、
前記径方向内側部分（１４）が、少なくとも前記側壁（１４ａ，１４ｂ）のうちの１つを前記底壁（１４ｃ）から区切る第１の曲率不連続部（１４ｄ，１４ｅ）を有しており、
前記底壁（１４ｃ）が、少なくとも一部の前記孔（１６）において、前記スポーク（１７）のヘッドを保持する、各孔付きインサート（１８）を収容するように構成されていることを特徴とする、自転車用のリム（１０）。
［態様２］
態様１に記載の自転車用のリム（１０）において、前記底壁（１４ｃ）が、所定のプロファイルを有しており、前記孔付きインサート（１８）のそれぞれが、前記底壁（１４ｃ）と連結する連結壁（１８ａ）を有しており、この連結壁（１８ａ）が、前記所定のプロファイルと実質的に合致するプロファイルを有している、自転車用のリム（１０）。
［態様３］
態様１に記載の自転車用のリム（１０）において、前記底壁（１４ｃ）が、所定の第１の曲げ半径を有する略円弧形状のプロファイルを有しており、前記孔付きインサート（１８）のそれぞれが、前記底壁（１４ｃ）と連結する連結壁（１８ａ）を有しており、この連結壁（１８ａ）が、前記第１の曲げ半径と略同一の曲げ半径を有する略円弧形状のプロファイルを有している、自転車用のリム（１０）。
［態様４］
態様１から３のいずれか一態様に記載の自転車用のリム（１０）において、前記径方向内側部分（１４）が、当該リム（１０）の正中矢状面（Ｘ−Ｘ）を基準として対称である、自転車用のリム（１０）。
［態様５］
態様１から３のいずれか一態様に記載の自転車用のリム（１０）において、前記径方向内側部分（１４）が、当該リム（１０）の正中矢状面（Ｘ−Ｘ）を基準として非対称である、自転車用のリム（１０）。
［態様６］
態様１から５のいずれか一態様に記載の自転車用のリム（１０）において、さらに、前記両側の側壁（１４ａ，１４ｂ）のうちの他方の側壁を前記底壁（１４ｃ）から区切る第２の曲率不連続部（１４ｄ，１４ｅ）を有している、自転車用のリム（１０）。
［態様７］
態様３または態様３に従属する場合の態様４から６のいずれか一態様に記載の自転車用のリム（１０）において、少なくとも１つの前記側壁（１４ａ，１４ｂ）が、前記第１の曲げ半径よりも大きい所定の第２の曲げ半径を有する略円弧形状のプロファイルを有している、自転車用のリム（１０）。
［態様８］
態様５に従属する場合の態様７に記載の自転車用のリム（１０）において、前記両側の側壁（１４ａ，１４ｂ）のうちの一方の側壁（１４ａ）が、前記所定の第２の曲げ半径を有する略円弧形状のプロファイルを有しており、前記両側の側壁（１４ａ，１４ｂ）のうちの他方の側壁（１４ｂ）が、前記第２の曲げ半径と異なる第３の曲げ半径を有する略円弧形状のプロファイルを有している、自転車用のリム（１０）。
［態様９］
態様１から６のいずれか一態様に記載の自転車用のリム（１０）において、少なくとも１つの前記側壁（１４ａ，１４ｂ）が、略真直なプロファイルを有している、自転車用のリム（１０）。
［態様１０］
態様１から９のいずれか一態様に記載の自転車用のリム（１０）において、前記第１の曲率不連続部（１４ｄ，１４ｅ）が、前記径方向内側部分（１４）の軸方向内側面（１４ｆ）および軸方向外側面（１４ｇ）の両側に形成されている、自転車用のリム（１０）。
［態様１１］
態様１から１０のいずれか一態様に記載のリム（１０）を備える自転車用の車輪（１１）。
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
起立した第一蹴上面に対して垂直上方に傾斜した第一踏面をもつ上昇部を有する階段であって、
前記上昇部は、傾斜角を有する略直角三角形状の踏板を前記第一蹴面の一部に敷設した階段。
【請求項２】
起立した第一蹴上面に対して垂直上方に傾斜した第一踏面をもつ上昇部と、
起立した第二蹴上面に対して略垂直な第二踏面をもつ昇降部と、
を有する階段であって、
前記上昇部と前記昇降部とは併設されており、
前記第一踏面は、前記第二蹴上面及び前記第二踏面に跨って配設された階段。
【請求項３】
前記上昇部は、傾斜角を有する略直角三角形状の踏板を前記第一蹴面の一部に敷設した請求項２記載の階段。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
複数のローラに掛け渡されて前記複数のローラの回転とともに走行するベルトの、前記ローラの軸方向への移動を制御するベルト制御装置であって、
前記複数のローラのうち、少なくとも一のローラの少なくとも一の端部に
前記ベルトの移動によって前記ローラを傾斜させる軸傾斜部と、
前記軸傾斜部の傾斜を戻す軸傾斜戻し部を備えたローラ軸支持部と、を有し、
前記ローラ軸支持部は所定の軸を中心に回転し、
前記軸傾斜戻し部は前記ローラ軸支持部が回転した状態において前記軸傾斜部及び前記ローラ軸支持部を内部に含む閉曲線のうちその周長が最小の閉曲線の内部に設けられていることを特徴とするベルト制御装置。
【請求項２】
請求項１に記載のベルト制御装置であって、前記ベルトにテンションを付与するテンションローラであり、前記ローラ軸支持部は前記テンションローラの軸を支えるテンションローラガイド部を有し、前記テンションローラガイド部は前記ローラ軸支持部が回転した状態において所定の位置に前記テンションローラ軸を決めることを特徴とするベルト制御装置。
【請求項３】
請求項１または２に記載のベルト制御装置であって、
前記軸傾斜戻し部は弾性体であることを特徴とするベルト制御装置。
【請求項４】
請求項３に記載のベルト制御装置であって、
前記弾性体の伸縮方向は水平方向であることを特徴とするベルト制御装置。
【請求項５】
請求項1乃至４のいずれか一項に記載のベルト制御装置であって、
前記ローラの少なくとも一の端部に
前記ベルトの移動によって前記ローラを傾斜させる軸傾斜部と、
前記軸傾斜部の傾斜を戻す軸傾斜戻し部を備えローラ軸支持部と、を有し、
前記ローラ軸支持部が回転した状態において前記軸傾斜部及び前記ローラ軸支持部を内部に含む閉曲線のうちその周長が最小の閉曲線はベルトの内周より短いことを特徴とするベルト制御装置。
【請求項６】
複数のローラに掛け渡されて前記複数のローラの回転とともに走行するベルトの、前記ローラの軸方向への移動を制御するベルト制御装置に用いられるローラユニットであって、
前記複数のローラのうち、少なくとも一のローラの少なくとも一の端部に
前記ベルトの移動によって前記ローラを傾斜させる軸傾斜部と、
前記軸傾斜部の傾斜を戻す軸傾斜戻し部を備えローラ軸支持部と、を有し、
前記ローラ軸支持部は所定の軸を中心に回転し、
前記軸傾斜戻し部は前記ローラ軸支持部が回転した状態において前記軸傾斜部及び前記ローラ軸支持部を内部に含む閉曲線のうちその周長が最小の閉曲線の内部に設けられていることを特徴とするローラユニット。
【請求項７】
請求項１乃至５のいずれか一項に記載のベルト制御装置または請求項６に記載のローラユニットを有する画像形成装置。
【手続補正２】
【補正対象書類名】明細書
【補正対象項目名】００４１
【補正方法】変更
【補正の内容】
【００４１】
ローラ軸方向外方を下にしてローラ軸６が傾斜するのに伴って、支持部本体４３ｄは支持中心部４３ａを中心とした円弧に沿って矢印アの方向へ傾斜する。また、支持部本体４３ｄはローラ軸６の移動に伴って動くことのない支持側板４３ｅと支持バネ４３ｆによって連結されている。支持部本体４３ｄが矢印アで示される方向に傾斜すると支持バネ４３ｆが伸びる。支持バネ４３ｆが伸びると、その伸びを戻す方向へ弾性力が発生し支持部本体４３ｄは矢印イで示される方向へ戻ろうとする。このため、ローラ軸６に−ｘ軸方向の力が加わり、ローラ軸６は図２に示される軸傾斜部４１を軸ガイド部４２に押し当てる力を加える。このように支持バネ４３ｆは軸傾斜戻し部として機能する。
【手続補正書】
【提出日】平成29年1月10日(2017.1.10)
【手続補正１】
【補正対象書類名】特許請求の範囲
【補正対象項目名】全文
【補正方法】変更
【補正の内容】
【特許請求の範囲】
【請求項１】
ウンシュウミカン（Citrus unshiu）、フジマメ（Dolichos lablab）及びイヌナズナ（Draba nemorosa）からなる群より選ばれる少なくとも１種の植物の抽出物を有効成分とする、過活動膀胱の予防又は改善剤。
【請求項２】
過活動膀胱の予防又は改善がＡＴＰ放出抑制によるものである、請求項１記載の過活動膀胱の予防又は改善剤。
【請求項３】
ウンシュウミカン（Citrus unshiu）、フジマメ（Dolichos lablab）及びイヌナズナ（Draba nemorosa）からなる群より選ばれる少なくとも１種の植物の抽出物を有効成分とする、ＡＴＰ放出抑制剤。
【請求項４】
ウンシュウミカン（Citrus unshiu）、フジマメ（Dolichos lablab）及びイヌナズナ（Draba nemorosa）からなる群より選ばれる少なくとも１種の植物の抽出物を有効成分とする、頻尿の予防又は改善剤。
【請求項５】
頻尿の予防又は改善がＡＴＰ放出抑制によるものである、請求項４記載の頻尿の予防又は改善剤。
【請求項６】
ウンシュウミカン（Citrus  unshiu）、フジマメ（Dolichos  lablab）及びイヌナズナ（Draba  nemorosa）からなる群より選ばれる少なくとも１種の植物の抽出物を有効成分とする、過活動膀胱の予防又は改善用飲食品組成物。
【請求項７】
ウンシュウミカン（Citrus  unshiu）、フジマメ（Dolichos  lablab）及びイヌナズナ（Draba  nemorosa）からなる群より選ばれる少なくとも１種の植物の抽出物を有効成分とする、頻尿の予防又は改善用飲食品組成物。
【請求項８】
ウンシュウミカン（Citrus  unshiu）、フジマメ（Dolichos  lablab）及びイヌナズナ（Draba  nemorosa）からなる群より選ばれる少なくとも１種の植物の抽出物を有効成分とする、過活動膀胱の予防又は改善用飲食品。
【請求項９】
ウンシュウミカン（Citrus  unshiu）、フジマメ（Dolichos  lablab）及びイヌナズナ（Draba  nemorosa）からなる群より選ばれる少なくとも１種の植物の抽出物を有効成分とする、頻尿の予防又は改善用飲食品。
【手続補正書】
【提出日】平成29年2月23日(2017.2.23)
【手続補正１】
【補正対象書類名】特許請求の範囲
【補正対象項目名】請求項５
【補正方法】変更
【補正の内容】
【請求項５】
自車両と、自車両の周囲に存在する物標とが衝突する危険性が高まったとき、自車両と物標との衝突の回避又は衝突被害を軽減する装置を安全装置として作動させる車両制御装置（１０）であって、
前記安全装置を作動させる条件である作動条件を設定する条件設定手段と、
前記作動条件に対する複数の補正条件について、それぞれを満たすか否かを判定する補正判定手段と、
前記作動条件に基づいて、前記安全装置を作動させるか否かを判定する作動判定手段と、を備え、
前記条件設定手段は、自車両が使用される国や地域等である仕向地ごとに定められた基準条件を、前記補正判定手段が満たしたと判定した補正条件に基づいて補正することにより、前記作動条件を設定し、
前記補正条件は、前記仕向地ごとに定められた前記基準条件に対して共通した条件であることを特徴とする、車両制御装置。
【手続補正２】
【補正対象書類名】特許請求の範囲
【補正対象項目名】請求項１５
【補正方法】変更
【補正の内容】
【請求項１５】
自車両と、自車両の周囲に存在する物標とが衝突する危険性が高まったとき、自車両と物標との衝突の回避又は衝突被害を軽減する装置を安全装置として作動させる車両制御装置（１０）により実行される車両制御方法であって、
前記安全装置を作動させる条件である作動条件を設定する条件設定ステップと、
前記作動条件に対する複数の補正条件について、それぞれを満たすか否かを判定する補正判定ステップと、
前記作動条件に基づいて、前記安全装置を作動させるか否かを判定する作動判定ステップと、を実行し、
前記条件設定ステップでは、自車両が使用される国や地域等である仕向地ごとに定められた基準条件を、前記補正判定ステップで満たしたと判定された補正条件に基づいて補正することにより、前記作動条件を設定し、
前記補正条件は、前記仕向地ごとに定められた前記基準条件に対して共通した条件であることを特徴とする、車両制御方法。
【手続補正書】
【提出日】平成29年10月6日(2017.10.6)
【手続補正１】
【補正対象書類名】特許請求の範囲
【補正対象項目名】全文
【補正方法】変更
【補正の内容】
【特許請求の範囲】
【請求項１】
背景差分法による動物体の検出に用いる背景モデルの構築方法において、
背景画像から注目画素を順次に選択する手順と、
注目画素ごとに複数の放射方向へ画素探索を行い、注目画素との特徴量差が所定の条件を満足する参照画素を放射方向ごとに登録する第１探索手順と、
前記所定の条件を満足する参照画素を探索できなかった放射方向数分の当該所定の条件を満足する参照画素を前記第１探索手順とは異なる探索方法で探索する第２探索手順と、
画素ごとに前記各探索手順により探索された参照画素の位置及び特徴量差を対応付けて背景モデルを構築する手順とを含むことを特徴とする背景モデル構築方法。
【請求項２】
前記第２探索手順は、前記参照画素を探索できなかった放射方向数分の参照画素を前記背景画像上でランダムに探索することを特徴とする請求項１に記載の背景モデル構築方法。
【請求項３】
前記第２探索手順は、複数の背景画像の二次元配列を仮想し、前記所定の条件を満足する参照画素を探索できなかった放射方向の延長線上で参照画素を探索することを特徴とする請求項１に記載の背景モデル構築方法。
【請求項４】
入力画像を背景モデルと比較して動物体を検出する動物体検出装置において、
背景画像の画素ごとに複数の放射方向へ画素探索を行い、特徴量差が所定の条件を満足する参照画素を放射方向ごとに登録する第１探索手段と、
前記所定の条件を満足する参照画素を探索できなかった放射方向数分の当該所定の条件を満足する参照画素を前記第１探索手順とは異なる探索方法で探索する第２探索手段と、
画素ごとに前記各探索手順により探索された参照画素の位置及び特徴量差を対応付けて背景モデルを構築する手段と、
入力画像を背景モデルと画素単位で比較して動物体を識別する手段とを具備したことを特徴とする動物体検出装置。
【請求項５】
前記第２探索手段は、前記参照画素を探索できなかった放射方向数分の参照画素を前記背景画像上でランダムに探索することを特徴とする請求項４に記載の動物体検出装置。
【請求項６】
前記第２探索手段は、複数の背景画像の二次元配列を仮想し、前記所定の条件を満足する参照画素を探索できなかった放射方向の延長線上で参照画素を探索することを特徴とする請求項４に記載の動物体検出装置。